【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
ユーザの心臓活動を分析するためのコンフォーマル心臓センサデバイスであって、
前記ユーザと結合するように構成された少なくとも１つのフレキシブル基板と、
前記少なくとも１つのフレキシブル基板上または前記少なくとも１つのフレキシブル基板内に埋め込まれた少なくとも１つの心臓センサコンポーネントであって、前記ユーザの皮膚の一部分に直接接触し、前記ユーザの心臓活動を示す電気活動を測定し、それを示す信号を出力するように構成された少なくとも１つの心臓センサコンポーネントと、
前記少なくとも１つのフレキシブル基板上または前記少なくとも１つのフレキシブル基板内に埋め込まれた少なくとも１つのバイオメトリックセンサコンポーネントであって、前記ユーザの心臓活動を示す生理学的活動を測定し、それを示す信号を出力するように構成された少なくとも１つのバイオメトリックセンサコンポーネントと、
前記少なくとも１つのフレキシブル基板上または前記少なくとも１つのフレキシブル基板内に埋め込まれた少なくとも１つのマイクロプロセッサであって、前記少なくとも１つの心臓センサコンポーネントおよび前記少なくとも１つのバイオメトリックセンサコンポーネントと通信可能に結合され、前記ユーザの心臓活動を示す電気および生理学的活動の前記測定を制御するためのマイクロプロセッサ実行可能命令を実行するように動作可能な少なくとも１つのマイクロプロセッサと、
前記少なくとも１つのフレキシブル基板上または前記少なくとも１つのフレキシブル基板内に埋め込まれた少なくとも１つのワイヤレス通信コンポーネントであって、前記少なくとも１つの心臓センサコンポーネントおよび前記少なくとも１つのバイオメトリックセンサコンポーネントによって得られた前記測定値を示すデータを送信するように動作可能な少なくとも１つのワイヤレス通信コンポーネントと
を備える、コンフォーマル心臓センサデバイス。
【請求項２】
前記少なくとも１つのフレキシブル基板上または前記少なくとも１つのフレキシブル基板内に埋め込まれた少なくとも１つの治療コンポーネントであって、前記少なくとも１つの心臓センサコンポーネントおよび前記少なくとも１つのバイオメトリックセンサコンポーネントによって得られた前記測定値に少なくとも部分的に基づいて前記ユーザに医療治療を提供するように構成された少なくとも１つの治療コンポーネントをさらに備える、請求項１に記載のコンフォーマル心臓センサデバイス。
【請求項３】
前記少なくとも１つの治療コンポーネントが、皮膚軟化剤、調合薬もしくは他の薬、生物学的物質または他の治療用物質あるいはそれらの任意の組合せを前記ユーザに投与するように構成される、請求項２に記載のコンフォーマル心臓センサデバイス。
【請求項４】
前記皮膚軟化剤、調合薬もしくは他の薬、生物学的物質または他の治療用物質が、既定のトリガ事象の発生の検出に応答して前記ユーザに送達される、請求項３に記載のコンフォーマル心臓センサデバイス。
【請求項５】
前記皮膚軟化剤、調合薬もしくは他の薬、生物学的物質または他の治療用物質が、前記ユーザに経皮的に送達される、請求項４に記載のコンフォーマル心臓センサデバイス。
【請求項６】
前記ユーザに送達される前記皮膚軟化剤、調合薬もしくは他の薬、生物学的物質または他の治療用物質の量が、前記既定のトリガ事象の前記検出された発生の大きさに基づいて校正、相関またはそうでなければ修正される、請求項４に記載のコンフォーマル心臓センサデバイス。
【請求項７】
前記少なくとも１つのフレキシブル基板上または前記少なくとも１つのフレキシブル基板内に埋め込まれた少なくとも１つのフィードバックコンポーネントであって、前記少なくとも１つの心臓センサコンポーネントおよび前記少なくとも１つのバイオメトリックセンサコンポーネントによって得られた前記測定値を分析し、前記分析された測定値に基づいて診断情報または他の生理学的情報を前記ユーザに提供するように構成された少なくとも１つのフィードバックコンポーネントをさらに備える、請求項１に記載のコンフォーマル心臓センサデバイス。
【請求項８】
前記少なくとも１つのフィードバックコンポーネントが、前記ユーザの総合的なフィットネス、ＶＯ２最大値、心臓血管必要量、エネルギー消費量、活動レベル、睡眠の質、ストレスレベル、心臓の可塑性もしくは異常または呼吸障害あるいはそれらの任意の組合せの表示を前記ユーザに表示するように構成される、請求項７に記載のコンフォーマル心臓センサデバイス。
【請求項９】
前記少なくとも１つの心臓センサコンポーネントが、筋電図検査（ＥＭＧ）コンポーネント、心電図（ＥＫＧ）コンポーネントもしくは脳波図（ＥＥＧ）コンポーネントまたはそれらの任意の組合せを含む、請求項１に記載のコンフォーマル心臓センサデバイス。
【請求項１０】
前記少なくとも１つのバイオメトリックセンサコンポーネントが、加速度計モジュール、ジャイロスコープモジュール、筋肉活性化測定モジュールまたはそれらの任意の組合せを含む、請求項１に記載のコンフォーマル心臓センサデバイス。
【請求項１１】
前記少なくとも１つのフレキシブル基板上または前記少なくとも１つのフレキシブル基板内に埋め込まれた少なくとも１つの電源であって、前記心臓センサコンポーネント、前記バイオメトリックセンサコンポーネント、前記マイクロプロセッサおよび前記ワイヤレス通信コンポーネントに給電するように動作可能な少なくとも１つの電源をさらに備える、請求項１に記載のコンフォーマル心臓センサデバイス。
【請求項１２】
前記少なくとも１つのフレキシブル基板上または前記少なくとも１つのフレキシブル基板内に埋め込まれた少なくとも１つのメモリデバイスであって、前記マイクロプロセッサ実行可能命令を格納する少なくとも１つのメモリデバイスをさらに備える、請求項１に記載のコンフォーマル心臓センサデバイス。
【請求項１３】
前記心臓センサコンポーネントが、前記少なくとも１つのフレキシブル基板上または前記少なくとも１つのフレキシブル基板内に埋め込まれた多数のコンフォーマル電極を備え、前記多数のコンフォーマル電極が、前記ユーザの皮膚の前記一部分に直接接触するように構成される、請求項１に記載のコンフォーマル心臓センサデバイス。
【請求項１４】
前記少なくとも１つのフレキシブル基板が、前記少なくとも１つの心臓センサコンポーネント、前記少なくとも１つのバイオメトリックセンサコンポーネント、前記少なくとも１つのマイクロプロセッサおよび前記少なくとも１つのワイヤレス通信コンポーネントを取り囲む伸縮可能なポリマーパッチである、請求項１に記載のコンフォーマル心臓センサデバイス。
【請求項１５】
個人の心臓活動を分析するためのコンフォーマル心臓センサアセンブリであって、
前記個人の一部分に取り付けるように動作可能なフレキシブル基板と、
前記フレキシブル基板に取り付けられるかまたは結合される電源と、
前記フレキシブル基板に取り付けられるかまたは結合され、マイクロプロセッサ実行可能命令を実行するように動作可能なマイクロプロセッサと、
前記フレキシブル基板に取り付けられるかまたは結合され、前記個人の心臓活動を示す電気的変数もしくは生理学的変数またはその両方を測定するように構成されたセンサコンポーネントと、
前記フレキシブル基板に取り付けられるかまたは結合され、前記センサコンポーネントによって得られた前記測定値に少なくとも部分的に基づいて前記個人に医療治療を提供するように構成された治療コンポーネントと
を備える、コンフォーマル心臓センサアセンブリ。
【請求項１６】
ユーザの心臓活動をモニタするためのコンフォーマル心臓センサシステムであって、
マイクロプロセッサ実行可能命令を格納する１つまたは複数のメモリデバイスと、
前記１つまたは複数のメモリデバイスと電気的に結合され、前記マイクロプロセッサ実行可能命令を実行するように動作可能な１つまたは複数のマイクロプロセッサと、
前記１つまたは複数のマイクロプロセッサと電気的に結合され、前記ユーザの心臓活動を示す１つまたは複数の第１の測定値を得るように動作可能な１つまたは複数の第１のセンサデバイスと、
前記１つまたは複数のマイクロプロセッサと電気的に結合され、前記ユーザの心臓活動を示す１つまたは複数の第２の測定値を得るように動作可能な１つまたは複数の第２のセンサデバイスと、
前記１つまたは複数のマイクロプロセッサと電気的に結合され、前記１つまたは複数の第１および１つまたは複数の第２のセンサデバイスによって得られた前記測定値を示すデータを送信するように動作可能な１つまたは複数のワイヤレス通信コンポーネントと、
前記１つまたは複数のメモリデバイス、前記１つまたは複数のマイクロプロセッサ、前記１つまたは複数の第１および第２のセンサデバイス、ならびに、前記１つまたは複数のワイヤレス通信コンポーネントと電気的に結合され、前記１つまたは複数のメモリデバイス、前記１つまたは複数のマイクロプロセッサ、前記１つまたは複数の第１および第２のセンサデバイス、ならびに、前記１つまたは複数のワイヤレス通信コンポーネントに給電するように動作可能な１つまたは複数の電源と
を備える、コンフォーマル心臓センサシステム。
【請求項１７】
前記１つまたは複数の第１および第２のセンサデバイスによって得られた前記測定値に少なくとも部分的に基づいて前記ユーザに医療治療を提供するように構成された１つまたは複数の治療コンポーネントをさらに備える、請求項１６に記載のコンフォーマル心臓センサシステム。
【請求項１８】
前記１つまたは複数の治療コンポーネントの少なくとも１つが、皮膚軟化剤、調合薬もしくは他の薬、生物学的物質または他の治療用物質あるいはそれらの任意の組合せを前記ユーザに投与するように構成される、請求項１７に記載のコンフォーマル心臓センサシステム。
【請求項１９】
前記１つまたは複数の第１および第２のセンサデバイスによって得られた前記測定値を分析し、前記分析された測定値に基づいて診断情報または他の生理学的情報を前記ユーザに提供するように構成された１つまたは複数のフィードバックコンポーネントをさらに備える、請求項１６に記載のコンフォーマル心臓センサシステム。
【請求項２０】
前記フィードバックコンポーネントが、ユーザの総合的なフィットネス、ＶＯ２最大値、心臓血管必要量、エネルギー消費量、活動レベル、睡眠の質、ストレスレベル、心臓の可塑性もしくは異常または呼吸障害あるいはそれらの任意の組合せの表示を前記ユーザに表示するように構成される、請求項１９に記載のコンフォーマル心臓センサシステム。
【請求項２１】
前記１つまたは複数のマイクロプロセッサの少なくとも１つおよび前記１つまたは複数のセンサデバイスの少なくとも１つが、デバイスアイランド配列で配列され、少なくとも１つのフレキシブル相互接続部を介して接続され、カラー構造が、前記１つまたは複数のセンサデバイスの少なくとも１つと前記少なくとも１つのフレキシブル相互接続部との間の移行領域の最も近くに配置される、請求項１６に記載のコンフォーマル心臓センサシステム。
【請求項２２】
プロセッサ実行可能命令を格納するメモリデバイスと、
前記メモリデバイスと通信可能に結合され、前記プロセッサ実行可能命令を実行するように動作可能なプロセッサと、
前記プロセッサと通信可能に結合された通信インタフェースと、
個人の第１の部分に取り付けられるように構成された第１のフレキシブル基板、前記第１のフレキシブル基板と結合された第１のマイクロコントローラ、前記第１のフレキシブル基板と結合され、前記個人の心臓活動を示す第１の変数を測定するように構成された第１のセンサコンポーネント、前記第１のフレキシブル基板と結合され、前記通信インタフェースを介して前記プロセッサに前記第１の変数の測定値を送信するように構成された第１の通信コンポーネントを含む第１のコンフォーマル心臓センサデバイスと、
個人の第２の部分に取り付けられるように構成された第２のフレキシブル基板、前記第２のフレキシブル基板と結合された第２のマイクロコントローラ、前記第２のフレキシブル基板と結合され、前記個人の心臓活動を示す第２の変数を測定するように構成された第２のセンサコンポーネント、前記第２のフレキシブル基板と結合され、前記通信インタフェースを介して前記プロセッサに前記第２の変数の測定値を送信するように構成された第２の通信コンポーネントを含む第２のコンフォーマル心臓センサデバイスと
を備える、コンフォーマル心臓センサシステム。